(57)【要約】【課題】電子機器の電池パック誤挿入時の端子破損防止構造、並びに当該構造を具備する電子機器および電池パックを提供すること。【解決手段】電子機器の電池パック誤挿入時の端子破損防止構造として、該電池パックの導通接触面が設けられている端面より突出するリブを設ける。【選択図】図１
2013143228.tif 000002
【特許請求の範囲】
【請求項１】
電子機器の電池パック誤挿入時の端子破損防止構造であって、該構造は該電池パックの導通接触面が設けられている端面より突出するリブであることを特徴とする電池パック誤挿入時の端子破損防止構造。
【請求項２】
前記リブは、前記電池パックの正規の挿入操作と異なる電池パックの誤挿入をした場合に、回路基板、電池端子本体、筐体、または、内装部品と突き当たることにより、電池パックと電池端子のばね性可動機能を持つ接触端子（以下、接触端子）との間にクリアランスを生じさせるように形成されることを特徴とする請求項１に記載の電池パック誤挿入時の端子破損防止構造。
【請求項３】
前記リブは、導通接触面と隣接し、厚さ方向の端部に位置するように形成されることを特徴とする請求項１または２に記載の電池パック誤挿入時の端子破損防止構造。
【請求項４】
前記リブは、電池パックの誤挿入時に電池端子本体、回路基板と突き当たることにより、電池パックとばね性可動接触端子との間にクリアランスを生じさせるように形成されることを特徴とする請求項３に記載の電池パック誤挿入時の端子破損防止構造。
【請求項５】
前記リブは、正規の挿入操作と異なる電池パックの誤挿入をした場合に、筐体またはその他の機器部品と突き当たることにより、電池パックが接触端子をばね性可動と異なる方向で押し込む電池パックの経路を抑制するように形成されることを特徴とする請求項１に記載の電池パック誤挿入時の端子破損防止構造。
【請求項６】
前記リブは、導通接触面が設けられた端面の両端に位置し、電池パックと筐体との嵌合形状の一部を、正規の挿入操作の場合の表面側で延長することにより形成されることを特徴とする請求項５に記載の電池パック誤挿入時の端子破損防止構造。
【請求項７】
請求項２乃至４のいずれか一項に記載の電池パック誤挿入時の端子破損防止構造であるリブと、請求項５または６に記載の電池パック誤挿入時の端子破損防止構造であるリブの両リブを電池パックに設けられたことを特徴とする請求項１に記載の電池パック誤挿入時の端子破損防止構造。
【請求項８】
電子機器の筐体内部へ挿入および取り出しが可能な電池パックを具備する電子機器であって、機器筐体に内装された回路基板および機能部品へ給電するよう電池パックと導通接触する電池端子が機器筐体内部に存在し、
電池パックの導通接触面が設けられた端面に端面より突出するリブを設けたことを特徴とする電子機器。
【請求項９】
前記リブが請求項１乃至７のいずれか一項に記載の電池パック誤挿入時の端子破損防止構造のリブであることを特徴とする電子機器。
【請求項１０】
請求項１乃至７のいずれか一項に記載の電池パック誤挿入時の端子破損防止構造のリブが設けられていることを特徴とする電子機器の電池パック。
【発明の詳細な説明】
【技術分野】
【０００１】
本発明は、電子機器の電池パック誤挿入時の端子破損防止構造、並びに当該構造を具備する電子機器および電池パックに関し、より詳細には、電池パックにリブ構造を設けた、電子機器の電池パックの電子機器への誤挿入時の端子破損防止構造に関する。
【背景技術】
【０００２】
携帯電話、スマートフォン、デジタル機器等の電子機器は、機器に内蔵された回路基板、機能部品へ給電する電池パックを機器筐体内部に収納し、筐体には電池カバーが設けられ電池パックの取り出し、挿入を可能としている。電池パックには導通接触面が在り、筐体内部にはこれと接触し導通する電池端子デバイスが実装され、電池パックの導通接触面と電池端子のばね性を有する接触端子とが接触、導通し電子機器の回路基板、機能部品は給電される。筐体の電池パック収納部へ電池パックを挿入する作業において、電池パックが正規の方向で挿入されていくならば、電池端子の接触端子は電池パックの導通接触面と接触し、ばね性が働く方向へ押し込まれていき、電池パックは電池収納部に完全に収まる。なお、電池パックの誤挿入で生じ得る接触端子のばね機構、導通機能の破損を避けるため、このような電子機器には、電池パック誤挿入防止構造が具備されており、例えば、特許文献１などが開示されている。
【先行技術文献】
【特許文献】
【０００３】
【特許文献１】特開２００７−１７９７６８号公報
【発明の概要】
【発明が解決しようとする課題】
【０００４】
なお、上記先行技術文献の開示を、本書に引用をもって繰り込むものとする。以下の分析は、本発明の観点からなされたものである。
【０００５】
従来、一般の電子機器において、電池パック誤挿入時の電池端子の破損防止は考慮されているが、あらゆる電子機器における電池パックの全ての誤挿入の形態に対処できるものではない。
【０００６】
従来の破損防止構造（特許文献１）では対処できない誤挿入の形態として、例えば、導通接触面の両側に設けられた電池パックと電子機器との嵌合において、一方が嵌合され、もう一方は嵌合されていない（非嵌合）状態から、電池パックを収納部に押し込むような形態、具体的には、図９ないし１２に示すような電池パックの収納構造および電池パックと電池端子との導通接触の構成を有する電子機器がある。
【０００７】
この電子機器において、図９〜図１２に示すように、電池パック１は概略、矩形の板状の形状をしており、側面に導通接触面３を有する。導通接触面３を有している側面（以下、導通端面４）の両端には溝形状５が設けられている。筐体内部には収納された電池パック１の導通接触面３と相対する位置に電池端子２が存在し、電池端子２は回路基板６上に搭載されている。筐体７の電池パック収納部８は電池パック１が収まる矩形状をし、一面が開口されており、電池パック１の収納後に電池カバー９で開口面を密閉する。筐体電池パック収納部８の電池パック導通端面４と相対する面（以下、端子設置面１０）の両端には、電池パック１の溝形状５と嵌合するリブ形状１１が筐体７に設けられている。導通接触面３と電池端子２の接触端子１２には正極と負極（および中央に温度検出用接続極）が存在する。電池パック１の収納部８への挿入方向は、導通接触面３と直交する方向であり、電池端子２の接触端子１２は正規挿入方向１３へばね性を持って後退していく機能を有している（図１２参照）。電池パック１の裏表を反転した状態で挿入し、正負極が逆接した状態で接触、導通すると機器の破損が生じるので、正負極の逆接が起きないよう、電池パック１辺上の導通接触面３の位置は中央線上ではなく中央を外した位置に配置される。正規の電池パック１挿入操作は、電池パック１の導通端面４と収納部の端子設置面１０とが合致するよう正規挿入方向１３で接近させていく。端子設置面１０の両端に設けられた嵌合リブ形状１１が電池パック１の嵌合溝形状５に差し込まれ（図１１参照）、導通接触面３は接触端子１２と接触し、接触端子１２をばね性方向に押し込む。電池パック１の正規方向１３への挿入を続け、嵌合溝５と嵌合リブ１１との嵌合量は増加し、接触端子１２は正規挿入方向１３へ後退しながら導通端子面３との接触、導通を維持する。図示しないが、最後に電池パック１の導通端面４とは逆の端面を収納部８へ落し込み、電池パック１は筐体収納部８の凹空間に収まる。導通端面４、端子設置面１０との逆面は、電池パック１に凸形状、筐体収納部８に凹形状が有り、電池パック１の落し込みで嵌合、合致する。電池パック１は周囲の収納部壁１４およびばねの反発力を有する接触端子１２により平面方向の拘束を受け、厚さ方向は導通端面４での溝５、リブ１１形状の嵌合、および導通端面４と逆面での凸、凹形状の嵌合から拘束される。
【０００８】
ここで図１３を参照するに、導通端面４、端子設置面１０の両端に設けられた溝５、リブ１１の嵌合において、何らかの理由により片側のみ嵌合１５、もう一方は非嵌合１６の不完全な誤挿入状態になってしまい、この誤挿入状態から電池パックを筐体収納部に収めるよう、嵌合していない側１６を収納部８に落とし込む操作をする。非嵌合側１６を落とし込んでいくと、電池パック１は電池端子２に覆い被さり、接触端子１２が後退可能なばね性方向（＝正規挿入方向１３）とは異なる方向で接触端子１２を押し込んでしまう。接触端子１２は非ばね性方向で押し込まれると、変形し、ばね構成および導通機能の破損が生じてしまう。また、電池パック１形状の裏表は対称形状に近いため、電池パック１の裏表を反転した状態で誤挿入する場合があり、電池パックの裏表が反転し、かつ嵌合が不完全な誤挿入状態でからの電池パック１落し込みにおいても、電池パック１は非ばね性方向で接触端子１２を押し込み、破損を生じさせる。
【０００９】
このため、上述した誤挿入の形態においても、電池パック誤挿入時のばね性接触端子の破損を防止する構造を設ける必要がある。また、電池パック形状の裏表は対称形状に近いため、電池パックの裏表を反転した状態でも誤挿入する場合があり、裏表反転状態での誤挿入を想定した接触端子保護も必要となる。
【００１０】
したがって、本発明は上述に鑑みてなされたものであり、電子機器への電池パック誤挿入時の端子破損防止構造を提供することを目的とする。より詳細には、電池パックの導通端面に当該端面から突出するリブを設けることにより、電池パックの電子機器への誤挿入時の端子破損防止構造、並びに当該構造を具備する電子機器および電池パックを提供することを目的とする。
【課題を解決するための手段】
【００１１】
本発明者は、上記課題を解決すべく鋭意研究した結果、電子機器の筐体の電池パック収納部側ではなく、着脱可能な電池パックの導通端面に端面から突出するリブ（カードリブとも言う）を設けることにより、不完全な嵌合状態から非嵌合側の電池パックを落とし込もうとする際、電池パックによる接触端子の非ばね性方向での押し込みが始まる前にガードリブが電池端子両側の部品と突き当たり、非嵌合側の電池パックのそれ以上の落し込みを阻止することにより、電池パックの電子機器への誤挿入時の端子の破損を防止できることを見出し、本発明を完成するに至った。
【００１２】
すなわち、本発明の一視点において、電子機器の電池パック誤挿入時の端子破損防止構造であって、該構造は該電池パックの導通接触面が設けられている端面より突出するリブであることを特徴とする電池パック誤挿入時の端子破損防止構造が提供される。ここで、上記電池パック誤挿入時の端子破損防止構造であるリブの具体的な構造は、例えば、導通接触面と隣接し、厚さ方向の端部に位置するように形成されることが好ましく、または／および、導通接触面が設けられた端面の両端に位置し、電池パックと筐体との嵌合形状の一部を、正規の挿入操作の場合の表面側で延長することにより形成されることが好ましい。
【００１３】
本発明の別の視点において、電子機器の筐体内部へ挿入および取り出しが可能な電池パックを具備する電子機器であって、機器筐体に内装された回路基板および機能部品へ給電するよう電池パックと導通接触する電池端子が機器筐体内部に存在し、電池パックの導通接触面が設けられた端面に端面より突出するリブを設けたことを特徴とする電子機器が提供される。ここで、リブは上記に記載の電池パック誤挿入時の端子破損防止構造であることが好ましい。
【００１４】
本発明のさらに別の視点において、上記に記載の電池パック誤挿入時の端子破損防止構造のリブが設けられていることを特徴とする電子機器の電池パックが提供される。
【発明の効果】
【００１５】
本発明の各視点によれば、電池パックの導通接触面より突出するリブ（３４、３６）により、電子機器の電池パックを筐体の電池パック収納部に挿入する際に、不完全な嵌合が電池パックの両側のいずれで生じても、接触端子の破損が防止可能となり、さらに、電池パックが表裏反転状態で挿入された場合であっても、電池パックの両側のいずれで生じた不完全な嵌合にも対処可能である。また、当該リブは電池パック側に設けられるものであり、電池端子、回路基板などの部品や、筐体側の構造に対して、従来と著しく異なる構造上の変更を要求するものではないので、電子機器の小型化、薄型化を可能とし、コスト増加を回避することができる。また、当該リブを電池パックに設けることにより、正負極の逆接防止を目的とする電池端子を電池パック辺の中心線から外す配置位置でも誤挿入時の接触端子の破損の防止は可能である。さらにまた、当該リブは、通常、樹脂成形部品で構成されるため、電池パックの機能の制約および製造上の阻害を回避することができる。
【００１６】
したがって、本発明によると、電子機器ユーザの電池パック挿入操作において、本発明で設けたリブは正規での挿入操作では、電池パック挿入経路を制約することはなく、電池パックは完全嵌合して接触端子のばね性方向での押し込みを経て、収納部に電池パックは収納され、導通接触面と接触端子との接触、導通は確保される。
【図面の簡単な説明】
【００１７】
【図１】本発明の一実施形態の分解図である。
【図２】本発明の一実施形態の分解図である。
【図３】図１および図２の実施態様における正規収納状態の嵌合形状部断面図である。
【図４】図１および図２の実施態様における正規収納状態での電池端子部断面図である。
【図５】図１および図２の実施態様における不完全嵌合状態から電池パックを落とし込みし、ガードリブが回路基板に突き当たる（乗り上げた）状態を示す図である。
【図６】図１および図２の実施態様における電池パックの裏表が反転し、不完全嵌合状態から電池パック落とし込み、ガードリブが電池端子本体に突き当たる（乗り上げた）状態を示す図である。
【図７】図１および図２の実施態様における電池パックの裏表が反転した状態での延長リブと筐体嵌合形状との突き当てによる電池パックの挿入経路の抑制を示す図である。
【図８】図１および図２の実施態様における電池パックの裏表が反転した状態での延長リブと筐体嵌合形状との突き当てにより挿入経路が抑制された電挿パックのガードリブと接触端子との位置関係を示す図である。
【図９】従来技術の一例において、本発明に該当する箇所の分解図である。
【図１０】従来技術の一例において、本発明に該当する箇所の分解図である。
【図１１】図９および図１０の従来技術の一例における正規収納状態での嵌合形状部断面図である。
【図１２】図９および図１０の従来技術の一例における正規収納状態での電池端子部断面図である。
【図１３】図９および図１０の従来技術の一例における不完全嵌合状態から電池パックを落とし込みした場合に電池パックが電池端子の接触端子を押し込んでいる状態（筐体の一部をカット）を示す図である。
【発明を実施するための形態】
【００１８】
以下に、本発明の概要について説明する。なお、この概要に付記する図面参照符号は、専ら理解を助けるための例示であり、本発明を図示の態様に限定することを意図するものではない。
【００１９】
本発明の好ましい実施態様において、本発明の電子機器は、例えば、携帯電話、スマートフォン、デジタル機器等が好ましく、機器に内蔵された回路基板、機能部品へ給電する電池パックを機器筐体内部に収納し、筐体には電池カバーが設けられ電池パックの取り出し、再挿入を可能としている。電池パックには導通接触面が在り、筐体内部にはこれと接触し導通する電池端子デバイスが実装され、電池パックの導通接触面と電池端子のばね性を有する接触端子とが接触、導通し、電子機器の回路基板、機能部品に給電させる構成になっている。
【００２０】
電池パックと筐体には、筐体内部での電池パックの位置を拘束する目的から、嵌合形状が複数箇所、設けられている。筐体の電池パック収納部へ電池パックを挿入する作業において、電池パックと筐体との嵌合形状が正規の作業で嵌合していき、電池パックが正規の方向で挿入されていくならば、電池端子の接触端子は電池パックの導通接触面と接触し、ばね性が働く方向へ押し込まれていき、電池パックは収納部に完全に収まる。しかし、上述したように、なんらかの理由で複数個所の嵌合が不完全の状態で電池パックを筐体収納部へ挿入しようとすると、電池パックは接触端子のばね性が働く方向と異なる方向で接触端子を押し込むため、接触端子のばね機構、導通機能の破損が発生する。
【００２１】
そこで、本発明の電子機器において、電池パックと筐体との複数個所の嵌合で、正規ではない不完全な嵌合状態から電池パックを収納部に収納しようとする際に、電池パックの押し込みによる接触端子の破損を防止する構造を有することを特徴とし、以下に詳述する。
【００２２】
本発明の電子機器における電池パック誤挿入時の端子破損防止構造は、上記の構成において、電池パックの導通接触面に隣接し電池パック端面から突出するガードリブを設けていることが好ましい。このガードリブは、不完全な嵌合状態から電池パックを収納しようとする際、電池パックによる接触端子の非ばね性方向での押し込みが始まる前に、電池端子両側の回路基板と突き当たり、電池パックのそれ以上の収納を阻止することを特徴とする。さらに、何らかの理由で電池パックの裏表が反転し、不完全な嵌合状態から電池パックを収納しようとする際、電池パックによる接触端子の非ばね性方向での押し込みが始まる前に、電池端子本体と突き当たり、電池パックのそれ以上の収納を阻止することを特徴とする。また、本発明の電子機器の筐体と電池パックとの嵌合用形状の一部に、電池パック端面より突出する延長リブが設けられている。この延長リブは、電池パックの裏表が反転した状態で電池パックを挿入しようとする際、延長リブが筐体側の嵌合形状と突き当たり、上記ガードリブが接触端子を非ばね性方向で押し込むことになる電池パックの挿入経路を抑制することを特徴とする。
【００２３】
さらに、本発明の好ましい実施形態を図面と共に説明する。具体的には、図１に示すように、本発明の電子機器において、電池パック３１は概略、矩形の板状の形状をしており、側面に導通接触面３２を有する。そして、電池パック３１の導通接触面３２を有している側面（以下、導通端面３３）には、導通接触面３２に隣接する厚さ方向の両端へ導通端面３３より突出するガードリブ３４が設けられている。また、電池パック３１の導通端面３３の両端には溝形状３５が設けられており、電池パック３１の正規収納状態で外側となる溝壁は導通端面３３より突出する延長リブ３６が設けられている（図３参照）。
【００２４】
以上が従来の電子機器の一般的な実施態様と異なる本発明の特徴であり、以下の電池端子３７との構成、電池パック収納部３８と電池カバー３９、端子設置面４０両端の嵌合リブ形状４１、接触端子４２のばね性後退機能、正規電池パック挿入操作、収納部内での電池パック３１拘束（嵌合）については、従来技術と基本的に同等である（図１および図２参照）。
【００２５】
図１および図２に示すように、筐体内部には収納された電池パック３１の導通接触面３２と相対する位置に電池端子３７が存在し、電池端子３７は回路基板４３上に搭載される。筐体４４の電池パック収納部３８は電池パック３１が収まる矩形状をし、一面が開口されており、電池パック３１の収納後に電池カバー３９で開口面を密閉する。電池パック収納部３８の電池パック導通端面３３と相対する面（以下、端子設置面４０）の両端には、電池パック３１の溝形状３５と嵌合するリブ形状４１が設けられる（図３参照）。導通接触面３２と電池端子３７の接触端子４２には正極と負極（および中央に温度検出用接続極）が存在する。
【００２６】
また、図４に示すように、電池パック３１の収納部３８への正規挿入方向４５は、導通接触面３２と直交する方向であり、電池端子３７の接触端子４２は正規挿入方向４５へばね性を持って後退していく機能を有する。電池パック３１の裏表を反転した状態で挿入し、正負極が逆接した状態で接触、導通すると機器の破損が生じるので、正負極の逆接が起きないよう、電池パック３１辺の導通接触面３２の位置は中央線上ではなく中央を外した位置に配置している。なお、この電池端子３７の配置の形態は、本発明での必須内容、前提条件ではなく、正負極の逆接防止を目的とした従来一般の慣用技術である。また、ここで図示されていないが、電池パック３１の導通端面３３とは逆の端面には、電池パック３１に凸形状、筐体収納部３８に凹形状が有り、電池パック３１の落し込みで嵌合、合致する。
【００２７】
上記の実施形態の一部又は全部は、以下の形態のようにも記載され得るが、以下には限られない。
［形態１］第一の視点のとおり、電子機器の電池パック誤挿入時の端子破損防止構造であって、該構造は該電池パックの導通接触面が設けられている端面より突出するリブであることを特徴とする。
［形態２］前記リブは、前記電池パックの正規の挿入操作と異なる電池パックの誤挿入をした場合に、回路基板、電池端子本体、筐体、または、内装部品と突き当たることにより、電池パックと電池端子のばね性可動機能を持つ接触端子（以下、接触端子）との間にクリアランスを生じさせるように形成されることを特徴とする形態１の電池パック誤挿入時の端子破損防止構造。
［形態３］前記リブは、導通接触面と隣接し、厚さ方向の端部に位置するように形成されることを特徴とする形態１または２の電池パック誤挿入時の端子破損防止構造。
「形態４」前記リブは、電池パックの誤挿入時に電池端子本体、回路基板と突き当たることにより、電池パックとばね性可動接触端子との間にクリアランスを生じさせるように形成されることを特徴とする形態３の電池パック誤挿入時の端子破損防止構造。
［形態５］前記リブは、正規の挿入操作と異なる電池パックの誤挿入をした場合に、筐体またはその他の機器部品と突き当たることにより、電池パックが接触端子をばね性可動と異なる方向で押し込む電池パックの経路を抑制するように形成されることを特徴とする形態１の電池パック誤挿入時の端子破損防止構造。
［形態６］前記リブは、導通接触面が設けられた端面の両端に位置し、電池パックと筐体との嵌合形状の一部を、正規の挿入操作の場合の表面側で延長することにより形成されることを特徴とする形態５の電池パック誤挿入時の端子破損防止構造。
［形態７］形態２乃至４のいずれかの電池パック誤挿入時の端子破損防止構造であるリブと、形態５または６の電池パック誤挿入時の端子破損防止構造であるリブの両リブを電池パックに設けられたことを特徴とする形態１の電池パック誤挿入時の端子破損防止構造。
［形態８］電子機器の筐体内部へ挿入および取り出しが可能な電池パックを具備する電子機器であって、機器筐体に内装された回路基板および機能部品へ給電するよう電池パックと導通接触する電池端子が機器筐体内部に存在し、電池パックの導通接触面が設けられた端面に端面より突出するリブを設けたことを特徴とする電子機器。
［形態９］前記リブが形態１乃至７のいずれかの電池パック誤挿入時の端子破損防止構造のリブであることを特徴とする電子機器。
［形態１０］形態１乃至７のいずれかの電池パック誤挿入時の端子破損防止構造のリブが設けられていることを特徴とする電子機器の電池パック。
【実施例１】
【００２８】
以下に、本発明の実施例における誤挿入時のガードリブ３４、延長リブ３６と電子機器の内装部品、筐体との突き当ての発生、および突き当てによる電池パック３１と電池端子３７のばね性接触端子４２との位置関係について記す。
【００２９】
電池パック３１の導通端面３３と電池パック収納部３８の端子設置面４０とが合致するよう、電池パック３１の導通端面３３を収納部３８に差し込むが、何らかの理由で、電池パック３１の導通端面３３および端子設置面４０の両側に設けられた溝３５、リブ４１形状が片側のみ嵌合４６し、もう一方は非嵌合４７の不完全な誤挿入状態を想定する。
【００３０】
図５に示すように、この誤挿入状態から電池パック３１を収納部３８に収めようとすると、嵌合していない側４７を収納部３８に落とし込む操作となる。非嵌合側４７を落とし込んでいくと、電池パック３１は電池端子３７に覆い被さっていくが、ガードリブ３４は電池端子３７の両側の回路基板４３に突き当たる。ガードリブ３４が回路基板４３と突き当たる位置関係は、電池パック３１と接触端子４２との間にクリアランスを有するものである。ガードリブ３４が回路基板４３に突き当たることにより電池パック３１のそれ以上の落し込みは抑制され、不完全な嵌合状態による誤挿入において、本発明は接触端子４２の破損を防止する。
【００３１】
次に、電池パック３１の裏表を反転した誤挿入の場合を記す。電池パック３１形状の裏表は対称形状に近いため、電池パックの表４８と裏４９を反転した状態で誤挿入する場合がある。図６に示すように、電池パック３１の裏表が反転すると、ガードリブ３４は電池端子３７と重なる位置関係となる。電池パック３１の裏表が反転し、かつ嵌合不完全な状態から電池パック３１を収納部３８に収めようと、嵌合していない側４７を収納部３８に落とし込んでいくと、ガードリブは電池端子３７本体に突き当たる。ガードリブ３４が電池端子３７本体に突き当たる位置関係は、電池パック３１と接触端子４２との間にクリアランスを有するものである。ガードリブ３４が電池端子３７本体に突き当たることにより電池パック３１のそれ以上の落し込みは抑制され、電池パック３１の裏表が反転し、かつ不完全な嵌合状態による誤挿入においても本発明は接触端子４２の破損を防止する。
【００３２】
次に、電池パック３１の嵌合用形状の一部として設けた、電池パック端面より突出する延長リブ３６の効果を記す。図７に示すように、電池パック導通端面３３の両端に設けられた延長リブ３６は、電池パック３１の裏表が反転した状態で電池パック３１を落とし込みする際に、嵌合リブ形状４１と突き当たり５０、電池パック３１の経路は制約されたもの５１となる。また、図８に示すように、抑制された電池パックの挿入経路５１は、ガードリブ３４が接触端子４２を非ばね性方向で押し込むものではなく、接触端子４２の破損を防止することができる。
【００３３】
以上が本発明の特徴である、電池パック誤挿入時における、ガードリブ３４の突き当たりおよび延長リブ３６の突き当たりによる電池パックの挿入経路の抑制になる。
【００３４】
なお、本実施例１では、ガードリブ３４が導通接触面３２に隣接した厚さ端部の４箇所に設けられているので、電池パックの両側のいずれが非嵌合状態になっても、さらに電池パックの裏表面が正規および反転のいずれの場合においても、接触端子４２の破損を防止するガードリブ３４と回路基板４３または電池端子３７との突き当たりが生じ、接触端子４２の破損を防止する。
【００３５】
また、本発明の電子機器の他の実施例を以下に説明する。
【００３６】
電池パック誤挿入時に電池パックの経路を抑制する目的のガードリブの突き当たりは、上記実施例１の回路基板、電池端子本体に限定されるものではなく、筐体形状、内装部品と突き当たる構成も可能である。さらに、ガードリブの配置位置において、上記実施例１では、電池端子に隣接した両側に回路基板が存在することから導通接触面に隣接する位置としたが、回路基板、内装部品および筐体形状と突き当たり、電池パックの押し込みを抑制する位置関係、形状ならば、導通接触面と隣接する範囲に限定するものではない。さらにまた、上記実施例１でのガードリブは、導通接触面に隣接して４箇所設けているが、想定する電池パックの非嵌合側がどちらか一方に限定される場合には、ガードリブは非嵌合側と逆側になる２箇所のみの構成が可能となり、また、電池パックの裏表反転を想定しないならば、ガードリブは電池パック裏面側の２箇所のみの構成が可能となる。また、上記実施例１では、従来の慣用技術である、正負極の逆接防止構造を採用し、導通接触面および電池端子位置を電池パック辺の中心線上ではなく、中心を外した配置としているが、導通接触面および電池端子を電池パック辺の中心線上に配置した構成も可能である。その場合、ガードリブは常に電池端子の両側の回路基板に突き当たる位置関係となる。
【００３７】
また、電池パックの導通端面両端に設けている延長リブは、上記実施例１において、筐体と嵌合する溝形状の一部を延長しているが、筐体、内装部品等と突き当たりで、接触端子を非ばね性方向で押し込む電池パックの挿入経路を抑制する位置関係、形状ならば、嵌合溝形状の一部を延長する構成に限定するものではない。また、嵌合形状は、電池パック側を溝形状、筐体側をリブ形状としているが、電池パック側をリブ形状、筐体側を溝形状とすることも可能である。さらに、電池パックを拘束する嵌合形状を筐体形状としたが、内装部品に嵌合形状を設けることも可能である。
【産業上の利用可能性】
【００３８】
本発明は、電子機器などの筐体から電池パックを取り外しおよび筐体内への挿入を行う、電池パックの誤挿入時の逆接防止、電池端子保護に有効であり、特に、携帯電話機、スマートフォン、タブレット機器、無線ルータなどの携帯電子機器に利用可能である。
【００３９】
なお、上記の特許文献等の先行技術文献の各開示を、本書に引用をもって繰り込むものとする。本発明の全開示（請求の範囲を含む）の枠内において、さらにその基本的技術思想に基づいて、実施形態ないし実施例の変更・調整が可能である。また、本発明の請求の範囲の枠内において種々の開示要素（各請求項の各要素、各実施例の各要素、各図面の各要素等を含む）の多様な組み合わせ、ないし、選択が可能である。すなわち、本発明は、請求の範囲を含む全開示、技術的思想にしたがって当業者であればなし得るであろう各種変形、修正を含むことは勿論である。
【符号の説明】
【００４０】
１    電池パック
２    電池端子
３    導通接触面
４    （電池パック）導通端面
５    （嵌合）溝形状
６    回路基板
７    筐体
８    電池パック収納部
９    電池カバー
１０  端子設置面
１１  （嵌合）リブ形状
１２  接触端子
１３  正規挿入方向
１４  収納部壁
１５  片側嵌合
１６  非嵌合側
１７  （図示用）筐体カット
３１  電池パック
３２  導通接触面
３３  （電池パック）導通端面
３４  ガードリブ
３５  （嵌合）溝形状
３６  延長リブ
３７  電池端子
３８  電池パック収納部
３９  電池カバー
４０  端子設置面
４１  （嵌合）リブ形状
４２  接触端子
４３  回路基板
４４  筐体
４５  正規挿入方向
４６  片側嵌合
４７  非嵌合側
４８  （電池パック）表面
４９  （電池パック）裏面
５０  延長リブと筐体嵌合形状との突き当たり
５１  抑制された電池パックの挿入経路
【図１】
2013143228.tif 000003
【図２】
2013143228.tif 000004
【図３】
2013143228.tif 000005
【図４】
2013143228.tif 000006
【図９】
2013143228.tif 000007
【図１０】
2013143228.tif 000008
【図１１】
2013143228.tif 000009
【図１２】
2013143228.tif 000010
【図１３】
2013143228.tif 000011
【図５】
2013143228.tif 000012
【図６】
2013143228.tif 000013
【図７】
2013143228.tif 000014
【図８】
2013143228.tif 000015